(57)【要約】【課題】電池の着脱が簡単で、耐久性の高い電池アダプタを提供する。【解決手段】相互に平行な一端壁部２と他端壁部３、及び、一端壁部２と他端壁部３の外周端縁１２，１３を相互に連結する複数の連結部４を有する中空筒型枠体１を、備え、さらに、一端壁部２にはプラス側共通電極端子６を設け、かつ、他端壁部３にはマイナス側共通電極端子７を設け、しかも、中空筒型枠体１の複数の連結部４の間に、電池Ｂを嵌込み取出し可能な縦長窓部５を形成し、枠体１に複数本の電池Ｂを並列状に装着可能とした【選択図】図１
0003167247.tif 000002
【実用新案登録請求の範囲】
【請求項１】
相互に平行な一端壁部（２）と他端壁部（３）、及び、該一端壁部（２）と他端壁部（３）の外周端縁（１２）（１３）を相互に連結する複数の連結部（４）を有する中空筒型枠体（１）を、備え、
さらに、上記一端壁部（２）にはプラス側共通電極端子（６）を設け、かつ、上記他端壁部（３）にはマイナス側共通電極端子（７）を設け、
しかも、上記中空筒型枠体（１）の複数の連結部（４）の間に、電池（Ｂ）を嵌込み取出し可能な縦長窓部（５）を形成し、上記枠体（１）に複数本の電池（Ｂ）を並列状に装着可能としたことを特徴とする電池アダプタ。
【請求項２】
相互に平行な一端壁部（２）と他端壁部（３）、及び、該一端壁部（２）と他端壁部（３）の外周端縁（１２）（１３）を相互に連結する複数の連結部（４）を有すると共に、その包絡線（Ｅ１）が単１形電池と略同一形状を成すように形成される中空筒型枠体（１）を、備え、
さらに、上記一端壁部（２）には、プラス電極として外部に露出する凸部（１６）と内部の複数の陽極受け部（１４）とを一体状に有するプラス側共通電極端子（６）を設け、かつ、上記他端壁部（３）には、マイナス電極として外部に露出する平坦面部（１７）と内部の複数の陰極受け用コイルスプリング（１５）とを一体状に有するマイナス側共通電極端子（７）を設け、
しかも、上記中空筒型枠体（１）の複数の連結部（４）の間に、単３形電池（Ｂ）を嵌込み取出し可能な縦長窓部（５）を形成し、上記枠体（１）に複数本の単３形電池（Ｂ）を並列状に装着可能としたことを特徴とする電池アダプタ。
【考案の詳細な説明】
【技術分野】
【０００１】
本考案は、電池アダプタに関する。
【背景技術】
【０００２】
従来、番手の小さい（小型の）電池を番手の大きい（大型の）電池の代用として使用するための電池アダプタが提案されている（特許文献１参照）。
【先行技術文献】
【特許文献】
【０００３】
【特許文献１】実開平５−６９８５２号公報
【考案の概要】
【考案が解決しようとする課題】
【０００４】
従来の電池アダプタは、電池を充填する有底筒型のボディと、ボディの開口部に着脱自在に取付けられる閉塞部材とを、備えている。しかし、電池を入れ替える際に、ボディに対して閉塞部材を着脱するのが面倒という欠点があった。また、構造が複雑となり、強度上の問題もあった。
【０００５】
そこで、本考案は、電池の着脱が簡単で、耐久性の高い電池アダプタを提供することを目的とする。
【課題を解決するための手段】
【０００６】
本考案に係る電池アダプタは、相互に平行な一端壁部と他端壁部、及び、該一端壁部と他端壁部の外周端縁を相互に連結する複数の連結部を有する中空筒型枠体を、備え、さらに、上記一端壁部にはプラス側共通電極端子を設け、かつ、上記他端壁部にはマイナス側共通電極端子を設け、しかも、上記中空筒型枠体の複数の連結部の間に、電池を嵌込み取出し可能な縦長窓部を形成し、上記枠体に複数本の電池を並列状に装着可能としたものである。
【０００７】
また、相互に平行な一端壁部と他端壁部、及び、該一端壁部と他端壁部の外周端縁を相互に連結する複数の連結部を有すると共に、その包絡線が単１形電池と略同一形状を成すように形成される中空筒型枠体を、備え、さらに、上記一端壁部には、プラス電極として外部に露出する凸部と内部の複数の陽極受け部とを一体状に有するプラス側共通電極端子を設け、かつ、上記他端壁部には、マイナス電極として外部に露出する平坦面部と内部の複数の陰極受け用コイルスプリングとを一体状に有するマイナス側共通電極端子を設け、しかも、上記中空筒型枠体の複数の連結部の間に、単３形電池を嵌込み取出し可能な縦長窓部を形成し、上記枠体に複数本の単３形電池を並列状に装着可能としたものである。
【考案の効果】
【０００８】
本考案の電池アダプタによれば、中空筒型枠体の側面側から電池の着脱をワンタッチで容易かつ迅速に行える。部品点数が少なく、構造が簡単で、強度を向上できる。複数の電池を並列状に配列して電気容量を増やすことができ、電池が長持ちする。
【図面の簡単な説明】
【０００９】
【図１】本考案の実施の一形態を示した正面図である。
【図２】図１のＸ−Ｘ断面図である。
【図３】図１のＹ−Ｙ断面図である。
【図４】図２のＺ−Ｏ−Ｚ断面図である。
【考案を実施するための形態】
【００１０】
以下、実施の形態を示す図面に基づき本考案を詳説する。
図１に示すように、本考案の電池アダプタは、相互に平行な一端壁部２と他端壁部３、及び、一端壁部２と他端壁部３の外周端縁１２，１３を相互に連結する複数の連結部４を有する中空筒型枠体１を、備えている。中空筒型枠体１の複数の連結部４の間には、電池Ｂを嵌込み取出し可能な縦長窓部５を形成し、枠体１に複数本の電池Ｂを並列状に装着可能として構成している。
枠体１は、樹脂成型品から成り、一端壁部２と他端壁部３と連結部４とは一体状に成型されている。枠体１の材料としては、例えば、ＡＢＳプラスチック樹脂等を用いるのが好ましい。一端壁部２及び他端壁部３は、縦長窓部５に対応する外周端縁１２，１３に、複数の切欠部９…を切欠形成している。
【００１１】
枠体１は、その包絡線Ｅ１が単１形電池と略同一形状を成すように形成されている。
図２と図３に示すように、枠体１は、３つの縦長窓部５，５，５を有しており、装着される電池Ｂが単３形電池であって、３本の単３形電池Ｂが陽極・陰極を全て同一の方向に揃えて並列状に装着されるように構成するのが望ましい。枠体１は、各連結部４の（軸心方向の）内端部に、尖鋭角部８を形成しており、各縦長窓部５の最奥部から単３形電池Ｂが抜けてしまわないように構成している。
また、本考案に於て、「包絡線」とは、枠体１の輪郭との接点を共有する仮想線であって、その接点を結ぶ軌跡となる直線又は曲線をいう。
【００１２】
図１と図２、及び、図４に示すように、本考案の電池アダプタは、枠体１の一端壁部２にはプラス側共通電極端子６を設け、かつ、他端壁部３にはマイナス側共通電極端子７を設けている。
プラス側共通電極端子６は、枠体１内部に装着される全ての電池Ｂの陽極に接触するように一端壁部２に付設され、マイナス側共通電極端子７は、枠体１に装着される全ての電池Ｂの陰極に接触するように他端壁部３に付設されている。
【００１３】
プラス側共通電極端子６は、プラス電極として外部に露出する凸部１６と内部の複数の陽極受け部１４とを一体状に有している。
プラス側共通電極端子６は、中央付近に凸部１６を有する円形導電板部２０と、円形導電板部２０の外周端縁から三叉状に突設される折曲片部２１，２１，２１とを備えている。各折曲片部２１には、単３形電池Ｂの陽極端子が嵌合可能なクレーター状の陽極受け部１４が形成されている。プラス側共通電極端子６は、一端壁部２の外面２Ａ側に円形導電板部２０を当接し、かつ、折曲片部２１，２１，２１を縦長窓部５，５，５内に巻き込むようにして内面２Ｂ側に折り返している。言い換えると、プラス側共通電極端子６は、（三叉状の）折曲片部２１，２１，２１にて一端壁部２の外周端縁１２を抱き込み状として取着されており、３つの折曲片部２１…が外周端縁１２の切欠部９…に係合している。
【００１４】
マイナス側共通電極端子７は、マイナス電極として外部に露出する平坦面部１７と内部の複数の陰極受け用コイルスプリング１５とを一体状に有している。
マイナス側共通電極端子７は、平坦面部１７を全面に有する円形導電板部３０と、円形導電板部３０の外周端縁から三叉状に突設される折曲片部３１，３１，３１とを備えている。各折曲片部３１には、導電性金属コイルバネから成る陰極受け用コイルスプリング１５が固着されている。マイナス側共通電極端子７は、他端壁部３の外面３Ａ側に円形導電板部３０を当接し、かつ、折曲片部３１，３１，３１を縦長窓部５，５，５内に巻き込むようにして内面３Ｂ側に折り返している。言い換えると、マイナス側共通電極端子７は、（三叉状の）折曲片部３１，３１，３１にて他端壁部３の外周端縁１３を抱き込み状として取着されており、３つの折曲片部３１…が外周端縁１３の切欠部９…に係合している。
【００１５】
上述した本考案の電池アダプタの使用方法（作用）について説明する。
図１に示すように、枠体１の縦長窓部５に、単３形電池Ｂを装入し、単３形電池Ｂの陰極をマイナス側共通電極端子７の陰極受け用コイルスプリング１５に押し付けつつ単３形電池Ｂの陽極端子をプラス側共通電極端子６の陽極受け部１４に嵌込む。単３形電池Ｂは、陰極受け用コイルスプリング１５の弾発付勢（反発）力をもってプラス側共通電極端子６に押し付けられ、陽極端子が陽極受け部１４に確実に嵌合して、手を離しても縦長窓部５から抜け落ちることなく保持される。
【００１６】
同様にして、枠体１の他の２つの縦長窓部５，５に、電池Ｂ，Ｂをワンタッチで装着する。なお、本発明の電池アダプタは、１本の単３形電池Ｂの装着のみで単１形電池としての使用が可能であり、電気製品の必要とする仕事量に応じて最大３本までの単３形電池Ｂ…を装着することが可能である。
【００１７】
なお、本考案は、設計変更可能であって、例えば、プラス側共通電極端子６は、枠体１に装着される全ての単３形電池Ｂの陽極に接触するものであれば良く、マイナス側共通電極端子７は、枠体１に装着される全ての単３形電池Ｂの陰極に接触するものであれば、形状や枠体１への固着方法は変更が可能である。
【００１８】
以上のように、本考案に係る電池アダプタは、相互に平行な一端壁部２と他端壁部３、及び、一端壁部２と他端壁部３の外周端縁１２，１３を相互に連結する複数の連結部４を有する中空筒型枠体１を、備え、さらに、一端壁部２にはプラス側共通電極端子６を設け、かつ、他端壁部３にはマイナス側共通電極端子７を設け、しかも、中空筒型枠体１の複数の連結部４の間に、電池Ｂを嵌込み取出し可能な縦長窓部５を形成し、枠体１に複数本の電池Ｂを並列状に装着可能としたので、中空筒型枠体１の側面側から電池Ｂの着脱をワンタッチで容易かつ迅速に行える。部品点数が少なく、構造が簡単で、強度を向上できる。複数の電池Ｂを並列状に配列して電気容量を増やすことができ、電池が長持ちする。
【００１９】
また、相互に平行な一端壁部２と他端壁部３、及び、一端壁部２と他端壁部３の外周端縁１２，１３を相互に連結する複数の連結部４を有すると共に、その包絡線Ｅ１が単１形電池と略同一形状を成すように形成される中空筒型枠体１を、備え、さらに、一端壁部２には、プラス電極として外部に露出する凸部１６と内部の複数の陽極受け部１４とを一体状に有するプラス側共通電極端子６を設け、かつ、他端壁部３には、マイナス電極として外部に露出する平坦面部１７と内部の複数の陰極受け用コイルスプリング１５とを一体状に有するマイナス側共通電極端子７を設け、しかも、中空筒型枠体１の複数の連結部４の間に、単３形電池Ｂを嵌込み取出し可能な縦長窓部５を形成し、枠体１に複数本の単３形電池Ｂを並列状に装着可能としたので、中空筒型枠体１の側面側から電池Ｂの着脱をワンタッチで容易かつ迅速に行える。部品点数が少なく、構造が簡単で、強度を向上できる。複数の単３形電池Ｂ…を並列状に配列して単１形電池として使用でき、しかも、電気容量を増やすことができ、電池が長持ちする。
【符号の説明】
【００２０】
１  枠体
２  一端壁部
３  他端壁部
４  連結部
５  縦長窓部
６  プラス側共通電極端子
７  マイナス側共通電極端子
１２  外周端縁
１３  外周端縁
１４  陽極受け部
１５  陰極受け用コイルスプリング
１６  凸部
１７  平坦面部
Ｂ  電池
Ｅ１  包絡線
【図１】
0003167247.tif 000003
【図２】
0003167247.tif 000004
【図３】
0003167247.tif 000005
【図４】
0003167247.tif 000006